(57)【要約】  比較的柔らかい、可撓性射出成型ブリストルのブラシ部と、比較的硬い、非可撓性射出成型歯のコーム部と、を備え、コーム部は、各部分の成型後にブラシ部に組み付けられる、化粧品アプリケータ。好ましい一実施形態では、コーム部は、互いに平行に配置された、２列又は３列以上の歯を有し、これによって、より効果的なコームとなる。【選択図】図８Ｂ
2019520888.tif 000002
【特許請求の範囲】
【請求項１】
成型ブラシ部（１４）と、成型コーム部（１５）と、を備える、化粧品アプリケータヘッド（１３）であって、
前記ブラシ部（１４）が、
ステム（１４ａ）であって、
近位端（１４ｂ）と、
遠位端（１４ｃ）と、
前記ステムの前記遠位端側及び前記ステムの側壁（１４ｅ）側に開口する中空空間（１４ｄ）と、を有する、ステム（１４ａ）と、
本体（１４ｆ）であって、
前記ステム（１４ａ）の前記遠位端（１４ｃ）に接続する開口近位端（１４ｈ）と、
溝（１４ｋ）を有する閉鎖遠位端（１４ｉ）と、
前記本体の中空空間（１４ｊ）が前記ステムの前記中空空間（１４ｄ）と連続的であるように、前記中空空間（１４ｊ）を画定する半円筒形状部材（１４ｇ）と、を有する、本体（１４ｆ）と、を備え、
前記半円筒状部材（１４ｇ）が、およそ１８０°〜２００°の角度空間を占め、
前記半円筒状部材（１４ｇ）の外側表面が、前記本体の前記閉鎖遠位端（１４ｉ）と同様に多数のブリストル（１４ｌ）を特徴とし、
前記ステム（１４ａ）の前記側壁（１４ｅ）にブリストルが欠如し、
前記コーム部（１５）が、
近位端（１５ｂ）と、
遠位端（１５ｃ）と、を有する基部（１５ａ）と、
前記基部（１５ａ）に一体成型され、多数の歯（１５ｅ）を支持する、プラットフォーム（１５ｄ）と、を備え、
前記基部（１５ａ）の前記近位端（１５ｂ）及び前記遠位端（１５ｃ）が、前記プラットフォーム（１５ｄ）の端部を超えて延在し、
前記プラットフォーム（１５ｄ）が、およそ１６０°〜１８０°の角度空間を占め、
前記コーム部（１５）の前記遠位端（１５ｃ）が前記ブラシ部（１４）の前記溝（１４ｋ）内に位置し、
前記コーム部（１５）の前記プラットフォーム（１５ｄ）が、前記ブラシ部（１４）の前記中空空間（１４ｊ）内に位置し、
前記コーム部（１５）の前記近位端（１５ｂ）が前記ブラシ部（１４）の前記中空空間（１４ｄ）内に位置する、化粧品アプリケータヘッド（１３）。
【請求項２】
前記半円筒状部材（１４ｇ）の前記ブリストル（１４ｌ）が列（１４ｐ）に配置され、４〜１０列が存在し、各列が５〜５０のブリストルを有する、請求項１に記載の化粧品アプリケータヘッド（１３）。
【請求項３】
前記プラットフォーム（１５ｄ）の前記歯（１５ｅ）が列（１５ｐ）に配置され、１〜８列が存在し、各列が５〜５０の歯を有する、請求項２に記載の化粧品アプリケータヘッド（１３）。
【請求項４】
前記プラットフォーム（１５ｄ）が半円筒状であり、およそ１６０°〜１８０°の角度空間を占める、請求項３に記載の化粧品アプリケータヘッド（１３）。
【請求項５】
前記プラットフォーム（１５ｄ）が平坦部（１５ｈ）を有し、前記平坦部から生じる前記歯（１５ｅ）のすべてが互いに平行である、請求項３に記載の化粧品アプリケータヘッド（１３）。
【請求項６】
前記コーム部（１５）の前記歯（１５ｅ）がすべて同じ高さではない、請求項３に記載の化粧品アプリケータヘッド（１３）。
【請求項７】
前記ブラシ部（１４）の前記閉鎖遠位端（１４ｉ）が多数のブリストル（１４ｌ）を特徴とする、請求項１に記載の化粧品アプリケータヘッド（１３）。
【請求項８】
前記ブラシ部（１４）が成型される材料が、前記コーム部（１５）が成型される材料よりも低い硬度である、請求項１に記載の化粧品アプリケータヘッド（１３）。
【請求項９】
前記コーム部（１５）の前記近位端（１５ｂ）が前記ステム（１４ａ）の前記中空空間（１４ｄ）に押し込まれ得るものの、そこから偶然外れないようにする、１つ又は２つ以上の可撓性タブ（１４ｍ）が前記ステムの前記中空空間に設けられている、請求項１に記載の化粧品アプリケータヘッド（１３）。
【請求項１０】
前記プラットフォーム（１５ｄ）の長さが、前記本体（１４ｆ）の前記中空空間（１４ｊ）の長さと等しい、請求項１に記載の化粧品アプリケータヘッド（１３）。
【請求項１１】
ハンドル（１１）と、伸長ロッド（１２）と、前記ロッドの遠位端（１２ａ）に従属する、請求項１に記載のアプリケータヘッド（１３）と、を備える、化粧品アプリケータ。
【発明の詳細な説明】
【技術分野】
【０００１】
本発明は、化粧品アプリケータ、具体的には、成型アプリケータヘッドを有する毛髪製品アプリケータの分野である。
【背景技術】
【０００２】
化粧品アプリケータは、適用量の製品を吸い上げ、これを塗布面、典型的には、眉毛又は睫毛など頭部の毛髪に塗布するために使用される。その後、同一の化粧品アプリケータが、個々の毛髪繊維をコーミングし、毛髪上の製品をならし、過剰な製品を除去することによる毛髪の手入れに使用される。製品を吸い上げ、付着させる機能は、毛髪を手入れする機能と異なるため、単一の化粧品アプリケータでは、両機能を十分に実行できないことがある。例えば、比較的柔らかいブリストルは、製品の吸い上げ及び睫毛への付着を得意とすることが既知であるが、これらのブリストルは、効果的に睫毛上の製品をならす、高粘度の重量製品である、マスカラのダマを壊す、又は睫毛を分離させるには弱すぎる傾向にある。この状況は、時には、製品の付着及び毛髪の手入れに別個のアプリケータを使用することにより対応されている。前者は、より柔らかい、柔軟性のあるブリストルを有するブラシである傾向にあり、後者は、比較的剛性のブリストル又は歯を有するブラシ又はコームであってよい。
【０００３】
塗布行程及び手入れ工程を実行するために別個の器具を使用しなければいけないという不都合を回避するために、剛性の低いブリストルのブラシ及び剛性の高い歯のコームを単一の化粧品アプリケータに組み込むことが既知である。様々な先行技術文献は、様々な配置及び構造を有する、かかる一体型化粧品アプリケータを開示している。例えば、米国特許第７，２３１，９２６号は、塗布ブラシ部と、整え用ブラシ部と、を備える、マスカラアプリケータを開示している。本発明者らが最も近い先行技術とみなす米国特許第７，２３１，９２６号については、後述する。
【０００４】
図１〜３を参照すると、米国特許第７，２３１，９２６号は、把持部（６）と、把持部から延出するロッド（２）と、を備えるマスカラアプリケータを開示する。「固定台」（４０）はロッド（２）に従属する。整え用ブラシ部（つまりコーム、４）は、固定台（４０）から放射状に広がる、１列又は２列以上の射出成型歯として実現される。塗布ブラシ部（３）は、撚線ロッド（２１）から放射状に広がるブリストルの塗布部（７）を備えてよく、「嵌合穴」（４２）と「嵌合凹部」（４３）との間の空間を占める。塗布ブラシ部が「嵌合穴」と「嵌合凹部」との間の空間に収まるために、塗布ブラシ部には、ブリストルが欠如する、３０°〜１２０°の角度部（３１）が設けられる（図３を参照）。
【０００５】
米国特許第７，２３１，９２６号の図２及び説明から、撚線ロッド（ブリストルを備える）の遠位端は、嵌合凹部（４３）に位置するまで嵌合穴（４２）を通って挿入されることが明らかである。この組立方法により、特定の欠陥が生じる。例えば、塗布部（７）の繊維ブリストルは、「嵌合穴」（４２）と「嵌合凹部」（４３）との間の空間の全長に延在できない。むしろ、間隙が存在する（図１を参照）。この間隙は、いずれのブリストルも嵌合穴（４２）にはまり込んだ状態にならないようにするために必要である。実際、ブリストルが嵌合穴（４２）にはまり込まないようにするには、この間隙の寸法が、少なくとも繊維ブラシの直径と同じ大きさであるべきである。例えば、８ｍｍの全経を有するブラシでは、間隙は最低４ｍｍであるべきであり、１０ｍｍの全経を有するブラシでは、間隙は最低５ｍｍであるべきである（米国特許第７，２３１，９２６号の図１は、実際には、この問題を回避するために間隙が有するべき大きさを反映していないことに留意されたい）。しかしながら、かかる大きい間隙は別の問題をもたらす。つまり、塗布ブラシ部（３）が整え用ブラシ部内で前後に摺動し得るという不要な運動がある程度存在し、このことは、ユーザーの気を散らさせ得る、又は塗布プロセスを妨げ得る。米国特許第７，２３１，９２６号のアプリケータの設計は他の欠点も有する。ここで、それらについて説明する。
【０００６】
塗布ブラシ部（３）が固定台（４０）に組み付けられる方法は、塗布部（７）のブリストルがアプリケータの遠位端まで延在できないことを意味する。これは、目頭方向の睫毛にマスカラを塗布しようとする際に非常に不便である。
【０００７】
更に、嵌合穴（４２）を通過するために、塗布部（７）のブリストルは相対的に可撓性である必要がある。繊維ブリストルは十分に可撓性であり得るが、それでも、まとめて押しつぶされて嵌合穴を通過するときに、ブリストルが損傷しないことを保証するものではない。その一方で、米国特許第７，２３１，９２６号の一実施形態に開示されるように、塗布ブラシ部（３）のブリストルが射出成型である場合、これらは、アプリケータに構造的支持をもたらすロッド（２、２１）と同一材料で作製されているため、極めて可撓性である可能性は低い。したがって、これらの剛性ブリストルが、破断せずに嵌合穴（４２）をどのように通過するかは全く不明である。
【０００８】
別の方法では、塗布ブラシ部（３）が嵌合穴（４２）を通過する必要性により、塗布部（７）に制約が課せられる。太いブリストル及び／又は高ブリストル密度を有する塗布部は損傷する可能性がより高く、したがって、これらは避けられるであろう。米国特許第７，２３１，９２６号の図２は、嵌合穴（４２）の直径が撚線ロッド（２１）の直径と極めて等しく、そのためブリストル部（７）は、非常に圧縮されるという印象を強く与える。
【０００９】
また、上述したように、塗布ブラシ部（３）には、ブリストルが欠如した、３０°〜１２０°の角度部（３１）が設けられる。その結果として、整え用ブラシ部（４）の角度サイズは３０°〜１２０°に限定される。
【００１０】
また、整え用ブラシ部（４）の歯は、円筒面から垂直に放射状に広がる。したがって、異なる２列内の歯は、互いに平行ではない。これは、睫毛など毛髪の小さい部分をコーミングするために最も効果的な配置と思われない。
【００１１】
したがって、改善された二重機能性化粧品アプリケータ、すなわち、先行技術のアプリケータの上述の欠点を有さずに、化粧品塗布機能及び毛髪／睫毛整え機能の両方を実行するために使用され得る化粧品アプリケータに対する必要性が引き続き存在する。
【発明の概要】
【００１２】
本発明は、化粧品アプリケータ用成型アプリケータヘッド、並びに本明細書に開示するように、成型アプリケータヘッドを備える化粧品アプリケータに関する。化粧品アプリケータ用アプリケータヘッドは、比較的柔らかい、可撓性射出成型ブリストルのブラシ部と、比較的硬い、非可撓性射出成型歯のコーム部と、を備え、コーム部は、各部分の成型後にブラシ部に組み付けられる。組み立てられたアプリケータヘッドは、目頭付近の睫毛へのマスカラの塗布を容易にするために、比較的より柔らかいブリストルで被覆されている遠位端を有する。ブラシ部及びコーム部は、合わせて３６０°の角度セクタを満たす。ブラシ部は１８０°〜２００°の角度セクタを満たし、コーム部は１６０°〜１８０°の角度セクタを満たす。これは、米国特許第７，２３１，９２６号の整え用ブラシ部（４）の３０°〜１２０°よりも著しく大きい。好ましい一実施形態では、このより大きいコーム部により、２列又は３列以上の歯を互いに平行に配置することができ、より効果的なコームとなる。ブラシ部へのコーム部のスナップ嵌め組立方法は、不要な可動空間と共に、コーム部とブラシ部との間の間隙の必要性を排除する。したがって、コーム部は、ブラシ部に対して前後に摺動できない。
【図面の簡単な説明】
【００１３】
【図１】米国特許第７，２３１，９２６号に開示されている、先行技術のアプリケータを示す。
【図２】米国特許第７，２３１，９２６号に開示されている、先行技術のアプリケータを示す。
【図３】米国特許第７，２３１，９２６号に開示されている、先行技術のアプリケータを示す。
【図４Ａ】本発明によるマスカラアプリケータを示す。
【図４Ｂ】本発明によるマスカラアプリケータを示す。
【図５Ａ】本発明によるアプリケータヘッドのブラシ部の一実施形態を示す。
【図５Ｂ】本発明によるアプリケータヘッドのブラシ部の一実施形態を示す。
【図６Ａ】本発明によるアプリケータヘッドのコーム部の一実施形態を示す。
【図６Ｂ】本発明によるアプリケータヘッドのコーム部の一実施形態を示す。
【図７Ａ】本発明によるアプリケータヘッドのブラシ部の第２の実施形態を示す。
【図７Ｂ】本発明によるアプリケータヘッドのブラシ部の第２の実施形態を示す。
【図８Ａ】ブラシ部に組み付けられているコーム部を示す。
【図８Ｂ】ブラシ部に組み付けられているコーム部を示す。
【図９】本発明による、組み立てられたアプリケータヘッドの２つの実施形態を示す。
【図１０】本発明による、組み立てられたアプリケータヘッドの２つの実施形態を示す。
【発明を実施するための形態】
【００１４】
図４Ａ及び４Ｂを参照すると、本発明によるマスカラアプリケータは、ハンドル（１１）と、伸長ロッド（１２）と、アプリケータヘッド（１３）と、を備え、これらの要素は通常の関係にある。つまり、ハンドルは、マスカラ製品容器の閉鎖部として機能する。通常、閉鎖部は、その内側表面に、ねじ付き容器と嵌合するためのねじ山（１１ａ）を有する。伸長ロッドは、ハンドルの内側表面に接続されており、そこに従属する。アプリケータヘッドは、ロッドの遠位端（１２ａ）に従属する。例えば、ロッドは中空であってよく、アプリケータヘッドのステム（１４ａ）をその中に受け入れることができる。ステムは、接着剤、溶接、摩擦嵌合、スナップ係合、ねじ係合、又は任意の他の好適な保持手段によって、ロッド内に保持されてよい。本発明によるアプリケータヘッドは、ブラシ部（１４）及びコーム部（１５）という２つの主要部分を有する。
【００１５】
ブラシ部
図５Ａ及び５Ｂを参照すると、ブラシ部（１４）は、ステム（１４ａ）と、本体（１４ｆ）と、を備える。ステムは、近位端（１４ｂ）と、遠位端（１４ｃ）と、ステムの遠位端側及びステムの側壁（１４ｅ）側に開口する中空空間（１４ｄ）と、を有する略円筒状部材として形成されてよい。ステムの側壁は、ブリストル又は他の手入れ機構を欠如しており、概ね平滑である。そのため、ステムは、上述のように、ロッド（１２）の遠位端（１２ａ）に接合できる。
【００１６】
本体（１４ｆ）は、略半円筒状部材（１４ｇ）と、開口近位端（１４ｈ）と、閉鎖遠位端（１４ｉ）と、を備える。半円筒状部材（１４ｇ）は、開口近位端（１４ｈ）、及び本体の閉鎖遠位端（１４ｉ）に位置する溝（１４ｋ）に接続する中空空間（１４ｊ）を画定する（図８Ａを参照）。ステム（１４ａ）の開口遠位端（１４ｃ）に開口近位端（１４ｈ）が一体成型され、したがって、半円筒状部材の中空空間（１４ｊ）及びステムの中空空間（１４ｄ）は、示されるように連続的である。半円筒状部材（１４ｇ）が略半円筒状であるという場合、半円筒状部材はおよそ１８０°〜２００°の角度空間を占めることを意味する。本体（１４ｆ）の遠位端（１４ｉ）は、長手方向軸Ａ−Ａの周囲の完全３６０°を占めるが、近位端（１４ｈ）は、約２００°〜２７０°を占めてよい。また、半円筒状部材（１４ｇ）は、閉鎖遠位端（１４ｉ）に向かって先細であってよい。半円筒状部材の外側表面は、本体の閉鎖遠位端（１４ｉ）と同様に、多数のブリストル（１４ｌ）を特徴とする。本体の近位端（１４ｈ）は、ブリストルを備えても、備えなくてもよい。
【００１７】
好ましくは、半円筒状部材（１４ｇ）のブリストル（１４ｌ）は、本体（１４ｆ）の長手方向軸（Ａ−Ａ）と平行に、半円筒状部材から下方に延在する列（１４ｐ）に規則的に配置される。ブリストルの各列は、通常、５〜５０のブリストル、好ましくは１０〜４０、より好ましくは２０〜３５のブリストルを備えてよい。例えば、図５Ａの半円筒状部材は、長手方向列に２３のブリストルを有する。半円筒状部材は、好ましくは、４〜１０列のブリストルを備えてよい。７、８、又は９列のブリストルがより好ましい。例えば、図５Ｂでは、本体（１４ｆ）の半円筒状部材は、半円筒状部材に沿って長手方向に延在する９列のブリストルを有する。更に、好ましい実施形態では、半円筒状部材のブリストル（１４ｌ）は規則的に列に配置され、各列は、本体の長手方向軸と垂直である面において、半円筒状部材の周囲に位置する。
【００１８】
本体（１４ｆ）の半円筒状部材（１４ｇ）のブリストル（１４ｌ）は、通常、本体の長手方向軸から放射状に延在し、１列内のすべてのブリストルは、互いに平行である。本体の遠位端（１４ｉ）のブリストルは、様々な方向に延在する。ブリストルは、平坦部及び／又は丸み部を備えてよく、ブリストルの水平断面は任意の考えられる形状であってよいが、本体を成型する能力によってのみ制限される。しかしながら、約１６０°〜１８０°以下の範囲の弧を有し、基部から先端部へと移動するに従って半径が減少する、弓形形状の水平断面を有するブリストルが好ましい。かかるブリストルは、平坦面及び曲面からなる半円錐状プロファイルを有する。好ましくは、ブリストルは、丸みのある先端を有するであろう。各ブリストルの残りの部分は、１つ若しくは２つ以上の凹部、１つ若しくは２つ以上の突出部、又は両方を半円錐状ブリストルの曲面に有してよく、平坦面は、かかる特徴を有さない。好ましくは、各半円錐状ブリストルは、その曲面に少なくとも２つの凹部及び／又は突出部を有する。かかるブリストルの製造については、その全体が参照により本明細書に援用される米国特許第９，３２６，５９０号で説明された。また、ブリストルは、平坦面から曲面までブリストルを貫通する、１つ又は２つ以上の穿孔を有してよい。かかるブリストルの製造については、その全体が参照により本明細書に援用される米国特許第９，３２６，５８４号で説明された。図５Ｂに示すように、ブラシ部（１４）のブリストルは、すべて同じ高さを有するわけではない。
【００１９】
コーム部
図６Ａ及び６Ｂを参照すると、コーム部（１５）は、近位端（１５ｂ）と、遠位端（１５ｃ）と、を有する基部（１５ａ）を備える。好ましくは、基部は、図示するように円筒状である。円筒状基部には、多数の歯（１５ｅ）を支持するプラットフォーム（１５ｄ）が一体成型される。円筒状基部はプラットフォームよりも長く、円筒状基部の近位端及び遠位端は、プラットフォームの端部を超えて延在する。
【００２０】
好ましくは、プラットフォーム（１５ｄ）の歯（１５ｅ）は、プラットフォームの長手方向軸（Ｂ−Ｂ）と平行に、プラットフォームから下方に延在する列（１５ｐ）に規則的に配置される。歯の各列は、通常、５〜５０の歯、好ましくは１０〜４０、より好ましくは２０〜３５の歯を備えてよい。例えば、図６Ａのプラットフォームは、長手方向列に２４又は２５の歯を有する。プラットフォームは、好ましくは、１〜８列の歯を備えてよい。４〜７列の歯がより好ましい。例えば、図６Ｂでは、プラットフォーム（１５ｄ）は、プラットフォームに沿って長手方向に延在する７列の歯を有し、図７Ｂでは、歯の列数は５である。更に、好ましい実施形態では、プラットフォームの歯（１５ｅ）は、プラットフォームの長手方向軸と垂直の面において、プラットフォーム全体に広がる列に規則的に配置される。
【００２１】
図６Ａ及び６Ｂでは、プラットフォーム（１５ｄ）は半円筒状であり、およそ１６０°〜１８０°の角度空間を占める。プラットフォーム（１５ｄ）の歯（１５ｅ）は、通常、プラットフォームの表面から放射状に延在し、１列内のすべての歯は互いに平行であり、隣接する列は、互いにある角度をなして方向付けられる。しかしながら、本発明のいくつかの実施形態では、図７Ａ及び７Ｂに示すプラットフォームが好ましい。ここでは、プラットフォーム（１５ｄ）は、湾曲側壁（１５ｇ）と、プラットフォームの上部と呼ぶことがある、平坦部（１５ｈ）と、を有する。その平坦な上部にかかわらず、このプラットフォームはまた、およそ１６０°〜１８０°の角度空間を占める。プラットフォームのこの部分（１５ｈ）が平坦であるため、プラットフォームのこの部分から生じるすべての歯（１５ｅ）は互いに平行であり、湾曲側壁状のこれらの歯（１５ｅ’）は、ある他の角度で延在する。平坦な上面とは、歯の列が互いに平行であることを意味し、このためコーム部は、それ以外の場合よりも著しく効果的なコームになるであろう。しかしながら、コーム部（すなわち、整え用ブラシ部）内の平行列の歯を開示していない、又は提案していない米国特許第７，２３１，９２６号でのように、コーム部によって占められる角度空間が３０°〜１２０°に限定された場合、この歯の並列配置は不可能であろう、又は実行は著しくより困難であり、コスト高であろう。多数の列の平行な円錐状の歯を配置するプラットフォームの上部には、単純に十分な空間がないであろう。好ましくは、本発明によるアプリケータヘッドは、互いに平行である、少なくとも２列の歯を有するコーム部を有し、互いに平行な３列の歯がより好ましい。
【００２２】
コーム部（１５）の歯（１５ｅ、１５ｅ’）は、平坦部及び／又は丸み部を備えてよく、歯の水平断面は任意の考えられる形状であってよいが、本体を成型する能力によってのみ制限される。しかしながら、効率的なコーミング動作をもたらす、概ねいずれの表面特徴も有さない円錐状歯が望ましい。図６Ｂに示すように、コーム部の歯は、すべて同じ高さを有するわけではない。
【００２３】
組み立てられたアプリケータ
ブラシ部及びコーム部は別個に成型され、その後組み立てられる。ブラシ部（１４）及び／又はコーム部（１５）を成型するために本発明で使用され得る例示の材料には、シリコーンエラストマー、熱可塑性エラストマー（例えば、スチレン−エチレン−ブチレン−スチレンブロックコポリマー（ＳＥＢＳ）など）、ビニルエラストマー（ＥＶＡ）、熱可塑性ポリエステルエラストマー（Ｄｕｐｏｎｔ  ｄｅ  ＮｅｍｏｕｒｓからのＨｙｔｒｅｌ（登録商標））、熱可塑性ポリウレタンエラストマー（Ｄｏｗ  ＰｌａｓｔｉｃからのＰｅｌｌｅｔｈａｎｅ（登録商標））、ニトリル、及びＥＰＤＭが挙げられるが、これらに限定されない。選択した材料の硬度は、好ましくは、約３５Ｍｐａ（Ｄｕｐｏｎｔ  ｄｅ  Ｎｅｍｏｕｒｓからの３５ショアＤ  Ｈｙｔｒｅｌ（登録商標））〜約１１８０Ｍｐａ（８２ショアＤ  Ｈｙｔｒｅｌ（登録商標））の範囲である。コーム部には、より硬く、可撓性の低い材料がより好適であり、ブラシ部には、より柔らかく、可撓性の高い材料が好適であろう。したがって、同一タイプのデュロメータで測定する場合、ブラシ部（１４）が成型される材料は、コーム部（１５）が成型される材料よりも低い硬度である。
【００２４】
上述したように、コーム部の円筒状基部（１５ａ）の近位端（１５ｂ）及び遠位端（１５ｃ）は、プラットフォーム（１５ｄ）の端部を超えて延在する。図８Ａを参照すると、ブラシ部（１４）へのコーム部（１５）の組み付けの第１工程は、コーム部の遠位端（１５ｃ）をブラシ部の溝（１４ｋ）に挿入することである。次いで、図８Ｂに示すように、円筒状基部（１５ａ）が、ブラシ部（１４）の半円筒状部材（１４ｇ）の中空空間（１４ｊ）に組み込まれ、コーム部の近位端（１５ｂ）は、ステム（１４ａ）の中空空間（１４ｄ）に位置するようになる。完全に組み立てられたアプリケータヘッドの２つの実施形態を図９及び１０に示す。図９は、プラットフォーム（１５ｄ）が半円筒状である実施形態である。図１０はより好ましい実施形態であり、プラットフォームは湾曲側壁（１５ｇ）と、平行な３列（１５ｐ）の歯（１５ｅ）を支持する平坦な上部（１５ｈ）と、を有する。コーム部がブラシ部内に確実にとどまるようにするために、ステム（１４ａ）の中空空間（１４ｄ）には、コーム部（１５）の近位端（１５ｂ）がステムの中空空間に押し込まれ得るが、そこから偶然外れないようにする、１つ又は２つ以上の可撓性タブ（１４ｍ）が設けられてよい。アプリケータヘッドが組み立てられると、ブラシ部（１４）のステム（１４ａ）は、上述のようにロッド（１２）の遠位端に固定され得、マスカラアプリケータを完成させる。
【００２５】
組み立てられると、ブラシ部の長手方向軸（Ａ−Ａ）は、コーム部の長手方向軸（Ｂ−Ｂ）と平行である。ブラシ部（１４）及びコーム部（１５）は、合わせて３６０°の角度セクタを満たす。ブラシ部は１８０°〜２００°の角度セクタを満たし、コーム部は１６０°〜１８０°の角度セクタを満たす。これは、米国特許第７，２３１，９２６号の整え用ブラシ部（４）の３０°〜１２０°よりも著しく大きい。より大きい角度サイズのコーム部は、より良好な睫毛の手入れ、特にカールをもたらす。
【００２６】
組み立てられたアプリケータの遠位端（１４ｉ）は、目頭付近の睫毛へのマスカラの塗布を容易にするために比較的より柔らかいブリストルで被覆される。遠位端にブリストルを有さない、米国特許第７，２３１，９２６号のアプリケータでは、この特徴も見られない。
【００２７】
また、ステムの側壁（１４ｅ）内の中空空間（１４ｄ）の存在により、プラットフォーム（１５ｄ）の長さを本体（１４ｆ）の中空空間（１４ｊ）の長さと（成型公差の範囲内で）等しくすることができる。このことは、ブラシ部とコーム部との間のあらゆる間隙を排除するため、好ましい。また、コーム部は、ブラシ部内で前後に摺動できないであろう。
【図１】
2019520888.tif 000003
【図２】
2019520888.tif 000004
【図３】
2019520888.tif 000005
【図４Ａ】
2019520888.tif 000006
【図４Ｂ】
2019520888.tif 000007
【図５Ａ】
2019520888.tif 000008
【図５Ｂ】
2019520888.tif 000009
【図６Ａ】
2019520888.tif 000010
【図６Ｂ】
2019520888.tif 000011
【図７Ａ】
2019520888.tif 000012
【図７Ｂ】
2019520888.tif 000013
【図８Ａ】
2019520888.tif 000014
【図８Ｂ】
2019520888.tif 000015
【図９】
2019520888.tif 000016
【図１０】
2019520888.tif 000017
【国際調査報告】
2019520888.tif 000018
2019520888.tif 000019